(57)【要約】【課題】照明装置本体部に対してヘッド部を水平方向と鉛直方向に別に駆動することができ、照明装置本体部などの配置スペースの拡大を必要としない照明装置を提供することを目的とする。【解決手段】本発明の照明装置は、照明装置本体部（３）とヘッド部（６）の間を連結する駆動ユニット部（７）を設け、駆動ユニット部（７）に、第１，第２モータと、第１モータの駆動力で駆動ユニット部（７）を水平方向（矢印Ｆ方向）に回動させる第１動力伝達機構と、第２モータの駆動力で駆動ユニット部（７）を鉛直方向（矢印Ｂ方向）に回動させる第２動力伝達機構とを設けたことを特徴とする。この構成によると、照明装置本体部などの配置スペースを拡大しなくても、照明装置本体部に対してヘッド部を水平方向と鉛直方向に別に駆動できる。【選択図】図２
2019045805.tif 000002
【特許請求の範囲】
【請求項１】
照明装置本体部と、
照射面側の先端に光源を内蔵したヘッド部と、
前記照明装置本体部と前記ヘッド部の前記照射面側とは反対側の基端側との間を連結する駆動ユニット部を設け、
前記駆動ユニット部に、
第１モータと、
第２モータと、
前記照明装置本体部に係合し前記第１モータの駆動力で前記照明装置本体部に対して前記駆動ユニット部を第１方向に回動させる第１動力伝達機構と、
前記ヘッド部の前記基端側に係合し前記第２モータの駆動力で前記照明装置本体部に対して前記駆動ユニット部を前記第１方向と交差する第２方向に回動させる第２動力伝達機構とを設けた、照明装置。
【請求項２】
前記駆動ユニット部は、
前記照明装置本体部の上面と平行で、前記第１，第２モータ，前記第１，第２動力伝達機構が取り付けられる底板と、
前記ヘッド部の基端部分に係合して前記第２方向に回動可能に前記ヘッド部を支持する軸受形成部を有している、請求項１記載の照明装置。
【請求項３】
前記照明装置本体部における前記駆動ユニット部の回転中心線を通過し前記ヘッド部の前記基端と前記先端を結ぶ中心線の上またはその近傍位置に、前記ヘッド部と前記第１，第２モータ，前記第１，第２動力伝達機構を内蔵した前記駆動ユニット部と、主コンデンサとで構成される可動側の重心を配置した、請求項２記載の照明装置。
【請求項４】
前記第１，第２モータを、
それぞれの回転出力軸の方向が、前記ヘッド部を前記第２方向に回動可能に支持する前記軸受形成部の支持軸方向と平行に配置し、かつ、
前記第１動力伝達機構と前記第２動力伝達機構を、
前記照明装置本体部における前記駆動ユニット部の回転中心線を通過し前記ヘッド部の前記基端と前記先端を結ぶ中心線の両側に振り分けて配置した、
請求項２記載の照明装置。
【請求項５】
前記駆動ユニット部の前記底板を前記ヘッド部の基端よりも後方に突出させた突出部を形成し、この突出部に前記第２モータの一部を配置した、請求項４記載の照明装置。
【請求項６】
前記突出部の幅方向の平面形状を、中央が後方に突出した円弧状に成形するとともに、この突出部に対応する前記照明装置本体部の部分の幅方向の平面形状を、中央が後方に突出した円弧状で前記突出部よりも後方に円弧状に突出させて成形した、
請求項５記載の照明装置。
【請求項７】
前記駆動ユニット部の構成要素を前記突出部に寄せて配置した、
請求項５または６記載の照明装置。
【請求項８】
前記第２方向（鉛直方向）に回動した前記ヘッド部が前記突出部に当接して回動規制する、
請求項５記載の照明装置。
【請求項９】
請求項１〜請求項８の何れかに記載の照明装置を備えた撮像装置。
【発明の詳細な説明】
【技術分野】
【０００１】
本発明は撮像装置に装着して使用される照明装置に関する。
【背景技術】
【０００２】
照明装置が装着された撮像装置では、ヘッド部の照射面を被写体とは正対させず、光を天井や壁面などの反射体に照射して拡散させ、被写体を間接的に照明して撮影するバウンス撮影が行われている。
【０００３】
バウンス撮影における照明装置の制御部は、反射体が天井面／右壁面／左側面などであるかの別を指定することによって、撮像装置の撮影レンズの光軸方向と光を照射する方向とのなすバウンス角度を自動制御する。
【０００４】
特許文献１には、照明装置本体部３に対してヘッド部６を水平方向（図１３（ｂ）の矢印Ｆ方向）に回動駆動する機構と、ヘッド部６の基端を中心としてヘッド部６の照射面側の先端を鉛直方向（図１３（ａ）の矢印Ｂ方向）に回動駆動する機構を備えた照明装置が開示されている。４はヘッド部６に内蔵された光源としてのキセノン放電管、５はヘッド部６に内蔵された反射傘である。照明装置本体部３の底部には、撮像装置としてのカメラのアクセサリシューとコンタクトする端子ユニット９が設けられている。
【先行技術文献】
【特許文献】
【０００５】
【特許文献１】特開２０１４−３８２６８号公報
【発明の概要】
【発明が解決しようとする課題】
【０００６】
特許文献１ではヘッド部を水平方向に駆動するユニットが照明装置本体部３に内蔵され、鉛直方向に駆動するユニットがヘッド部６に内蔵されている。照明装置本体部３には、制御部の電子回路が構築された配線基板や各種のインターフェースのスイッチや表示パネルの他、エネルギー源の電池の配置スペースが必要であって、水平方向に駆動する駆動ユニットを内蔵させるためには配置スペースが拡大する。
【０００７】
また、ヘッド部６を水平方向に駆動するユニットと鉛直方向に駆動するユニットが分離して設けられているため、検査なども個別に実施することが必要である。
【０００８】
本発明は、照明装置本体部に対してヘッド部を水平方向と鉛直方向に別に駆動することができ、しかも照明装置本体部などの配置スペースの拡大を必要としない照明装置を提供することを目的とする。
【課題を解決するための手段】
【０００９】
本発明の照明装置は、照明装置本体部と、照射面側の先端に光源を内蔵したヘッド部と、前記照明装置本体部と前記ヘッド部の前記照射面側とは反対側の基端側との間を連結する駆動ユニット部を設け、前記駆動ユニット部に、第１モータと、第２モータと、前記照明装置本体部に係合し前記第１モータの駆動力で前記照明装置本体部に対して前記駆動ユニット部を第１方向に回動させる第１動力伝達機構と、前記ヘッド部の前記基端側に係合し前記第２モータの駆動力で前記照明装置本体部に対して前記駆動ユニット部を前記第１方向と交差する第２方向に回動させる第２動力伝達機構とを設けた、ことを特徴とする。
【発明の効果】
【００１０】
この構成によると、照明装置本体部とヘッド部の基端側との間を連結する駆動ユニット部に、第１，第２モータと、第１，第２動力伝達機構を配置したので、照明装置本体部などの配置スペースを拡大しなくても、照明装置本体部に対してヘッド部を水平方向と鉛直方向に別に駆動できる。
【００１１】
さらに、第１，第２モータと、第１，第２動力伝達機構を駆動ユニット部にまとめて配置したので、バウンス駆動機構の第１，第２方向の検査を、１つのユニットの検査だけで実施できる。
【図面の簡単な説明】
【００１２】
【図１】本発明の実施の形態の照明装置の背面斜視図
【図２】同実施の形態の（ａ）要部側面図と（ｂ）平面図
【図３】同実施の形態の分解斜視図
【図４】同実施の形態の駆動ユニットの分解斜視図
【図５】同実施の形態の天板ユニットに駆動ユニットの一部を組み付けた斜視図
【図６】図５の分解斜視図
【図７】図５の連結状態を示す断面図
【図８】同実施の形態の天板ユニットに駆動ユニットの一部を組み付けた斜視図
【図９】図８の分解斜視図
【図１０】（ａ）横位置撮影と（ｂ）（ｃ）縦位置撮影の説明図
【図１１】同実施の形態の横位置撮影から（ａ）右横位置へカメラを動かした状態においてヘッド部を左回転させる平面図と（ｂ）左横位置へカメラを動かした状態においてヘッド部を右回転させる平面図
【図１２】別の実施の形態における重心位置を示す平面図
【図１３】従来のストロボ装置のヘッド部の動きを示す（ａ）側面図と（ｂ）平面図
【図１４】別の実施の形態の照明装置の背面斜視図
【図１５】この別の実施の形態の要部側面図
【発明を実施するための形態】
【００１３】
以下、本発明の照明装置を実施の形態に基づいて説明する。
【００１４】
図１は本発明の照明装置の外観斜視図を示す。図２（ａ）は要部の側面図、図２（ｂ）は平面図を示す。
【００１５】
この照明装置は、制御部の電子回路が構築された配線基板や各種のインターフェースのスイッチ１や表示パネル２の他、エネルギー源の電池などを内蔵した照明装置本体部３と、光源としてのキセノン放電管４、反射傘５を内蔵したヘッド部６と、照明装置本体部３とヘッド部６の基端側の間を連結する駆動ユニット部７を主要部として構成されている。照明装置本体部３には、傾きとその方向を検出するセンサも内蔵されている。
【００１６】
照明装置本体部３の外装部分は、図３に示すように前部３ａと、後部３ｂと、電池室蓋８と、前部３ａの下部と後部３ｂの下部で挟持される端子ユニット９と、前部３ａの上部と後部３ｂの上部で挟持される天板ユニット１０とで構成されている。天板ユニット１０には、照明装置本体部３の内部とヘッド部６の側とを接続する電線を挿通する連通孔１１が形成されている。
【００１７】
駆動ユニット部７は、図４に示すように天板ユニット１０の上面と平行な底板１２と、底板１２に取り付けられた、第１モータ１３と、第２モータ１４と、第１動力伝達機構１５と、第２動力伝達機構１６と、大容量で円柱形の主コンデンサ１７と、主コンデンサ１７を挟んで配置された歯車１８ａとダミー円盤１８ｂと、底板１２に取り付けられて、具体的には底板１２を前後から挟持して底板１２の上方を覆う駆動ユニット前部７ａと、駆動ユニット後部７ｂで構成されている。主コンデンサ１７とは、キセノン放電管４に放電電圧を印加するコンデンサで、電池の出力電圧を昇圧した電源出力電圧で充電される。
【００１８】
なお、駆動ユニット部７とヘッド部６を連結した状態では、ヘッド部６の外装を介して歯車１８ａとダミー円盤１８ｂが互いに連結されている。この実施の形態では、歯車１８ａとダミー円盤１８ｂが、底板１２を挟持した駆動ユニット前部７ａの左右の凹部１９ａと、駆動ユニット後部７ｂの左右の凹部１９ｂとで支持されて位置決めされており、ヘッド部６の基端部分に係合して鉛直方向Ｂに回動可能にヘッド部６を支持する軸受形成部２０が構成されている。
【００１９】
第１動力伝達機構１５は、図５と図６に示すように底板１２に一体に樹脂成形された軸２１ａ，２１ｂ，２１ｃに支持された歯車２２ａ，２２ｂ，２２ｃを有している。第１モータ１３は底板１２に一体成形されたリブ２３ａに取り付けられている。第１モータ１３の出力軸に取り付けられたウォームギア２４ａが歯車２２ａを介して、図７に示すように歯車２２ｂ，２２ｃに噛合して係合している。歯車２２ｃは更に、天板ユニット１０の連通孔１１の内側に取り付けられた内歯ギア２２ｄに噛合して係合している。底板１２に取り付けられたカバー２５ａは、ウォームギア２４ａ，歯車２２ａ，２２ｂ，２２ｃの上方を覆っている。
【００２０】
このように構成したため、第１モータ１３の回転が歯車２２ａ，２２ｂ，２２ｃを介して内歯ギア２２ｄに伝達され、天板ユニット１０を固定側として底板１２の側が、内歯ギア２２ｄの中心軸Ｙの周りに第１方向としての水平方向に回動する。第１モータ１３の回転方向に応じて底板１２の回動方向が切り換わる。
【００２１】
第２動力伝達機構１６は、図８と図９に示すように底板１２に一体に樹脂成形された軸２１ｅ，２１ｆに支持された歯車２２ｅ，傘歯車２２ｆの他に、傘歯車２２ｇを有している。第２モータ１４は底板１２に一体成形されたリブ２３ｂに取り付けられている。第２モータ１４の出力軸に取り付けられたウォームギア２４ｂが歯車２２ｅ，傘歯車２２ｆを介して傘歯車２２ｇに噛合して係合している。傘歯車２２ｇは更に、歯車１８ａの外周に噛合して係合している。底板１２に取り付けられたカバー２５ｂは、ウォームギア２４ｂ，歯車２２ｅ，傘歯車２２ｆ，２２ｇの上方を覆っている。傘歯車２２ｇは、カバー２５ｂに一体成形された軸（図示せず）に枢支されており、傘歯車２２ｇを枢支しているこの軸の先端は、底板１２に一体成形されたリブ２３ｃによって支持されている。
【００２２】
このように構成したため、第２モータ１４の回転が歯車２２ｅ，傘歯車２２ｆ，２２ｇを介して歯車１８ａに伝達され、底板１２を固定側として歯車１８ａが、歯車１８ａの中心軸Ｘの周りに回動する。歯車１８ａがヘッド部６の基端部分に取り付けられているため、第２モータ１４の回転によってヘッド部６の先端が、ヘッド部４の基端部分を中心として、第１方向と交差する第２方向としての鉛直方向Ｂに回動する。第２モータ１４の回転方向に応じてヘッド部６の回動方向が切り換わる。
【００２３】
また、照明装置本体部３とヘッド部６の間を連結する駆動ユニット部７に、第１，第２モータ１３，１４と、第１，第２動力伝達機構１５，１６などを配置したので、照明装置本体部３などの配置スペースを拡大しなくても、照明装置本体部３に対してヘッド部６を水平方向Ｆと鉛直方向Ｂに駆動できる。
【００２４】
また、第１，第２モータ１３，１４と、第１，第２動力伝達機構１５，１６を駆動ユニット部７にまとめて配置したので、バウンス駆動機構の第１，第２方向の検査を、１つのユニットの検査だけで実施できる。
【００２５】
図１０（ａ）は被写体を横位置で撮影する場合のカメラ２６とそれに装着した照明装置２７を示している。図１０（ｂ）は、図１０（ａ）に示した状態から被写体を縦位置で撮影するためにカメラ２６を右横位置に回転させた状態を示している。同様に図１０（ｃ）は、図１０（ａ）に示した状態から被写体を縦位置で撮影するためにカメラ２６を左横位置に回転させた状態を示している。例えば、天井を反射体としてバウンス撮影している横位置撮影姿勢から、図１０（ｂ）の右横位置にカメラ２６を回転させた場合には、図１１（ａ）に示すように照明装置本体部３に対してヘッド部６を、第１モータ１３を運転して水平方向に左回動（矢印Ｆ１方向）させるように制御することが必要となる。図１０（ｃ）の左横位置にカメラ２６を回転させた場合には、図１１（ｂ）に示すように照明装置本体部３に対してヘッド部６を、第１モータ１３を運転して水平方向に右回動（矢印Ｆ２方向）させるように制御することが必要となる。
【００２６】
この実施の形態の照明装置では、駆動ユニット部７とヘッド部６は、照明装置本体部３から見た可動部分であって、この可動部分の重心位置２８が、図１１（ａ）に示すように、照明装置本体部３における駆動ユニット部７の回転中心となる中心軸Ｙを通過しヘッド部６の基端２９とヘッド部６の先端３０を結ぶ中心線３１の近傍位置になるように、第１，第２モータ１３，１４、第１，第２動力伝達機構１５，１６を内蔵した駆動ユニット部７の内部の配置が考慮されている。
【００２７】
具体的には、第１，第２モータ１３，１４を、それぞれの回転出力軸の方向が、軸受形成部２０の支持軸方向である中心軸Ｘと平行に底板１２に配置し、かつ、第１，第２動力伝達機構１５，１６を中心線３１の両側に振り分けて重量が略バランスするように配置されている。さらに、駆動ユニット部７の底板１２と駆動ユニット後部７ｂには、図１，図２（ａ）（ｂ）に示したようにヘッド部６の基端２９よりも後方に突出させた突出部３２を形成し、この突出部３２に図２（ａ）に破線で示すように第２モータ１４の一部を配置している。バウンス撮影の際に水平位置から上方に向かってヘッド部６が回動した際には、ヘッド部６の後部壁面Ｕが突出部３２に当接してヘッド部６の回動範囲を規制できる。
【００２８】
このように構成したため、横位置から縦位置にカメラ２６を動かした場合に、第１モータ１３の制御部による、駆動時の制御動作と停止時の制御動作を、右横位置と左横位置とで回転方向を変更するだけで済み、制御係数などの変更が必要でないため、制御部の構成を簡潔にすることができる。さらに、図１２に示すように、可動部分の重心位置２８が、中心線３１の上になるように、第１，第２モータ１３，１４、第１，第２動力伝達機構１５，１６を内蔵した駆動ユニット部７の配置を設定することによって、制御安定性が向上する。
【００２９】
なお、駆動ユニット部７の突出部３２の外郭形状については、図１，図２（ａ）（ｂ）に示すようにコーナー部分に丸みＲを付けた形状に樹脂成形したため、照明装置本体部３に対して駆動ユニット部７が回転した場合に、使用者の髪の毛が突出部３２のコーナー部分に引っかかりにくい。使用者の髪の毛が突出部３２のコーナー部分に引っかかった場合には、髪の毛の引っかかった部分から先の部分が照明装置本体部３と駆動ユニット部７の間の隙間３３に巻き込まれる障害発生の虞があるが、この実施の形態の場合のように突出部３２のコーナー部分に丸みＲを付けたことによって、この障害の発生を回避できる。
【００３０】
なお、上記の実施の形態の照明装置では、光源がキセノン放電管であるストロボ装置であったが、光源として発光ダイオードなどを使用して構成することもできる。
【００３１】
図１４と図１５は別の実施の形態を示す。
【００３２】
図１，図２（ａ）（ｂ）において駆動ユニット部７の突出部３２の平面形状が、コーナー部分に丸みＲを付けた外郭形状であったが、図１４に示すように突出部３２の幅方向の平面形状を、中央が後方に突出した円弧状に樹脂成形することもできる。この場合、駆動ユニット部７の突出部３２に対応する照明装置本体部３の部分Ｓについても、図１４に示すように幅方向の平面形状を、中央が後方に突出した円弧状に樹脂成形し、さらに、この照明装置本体部３の部分Ｓを、図１５に示すように突出部３２よりも後方に円弧状に突出させて、駆動ユニット部７とヘッド部６が水平方向に駆動する際に、突出部３２が照明装置本体部３からはみ出さない形状として、使用者に突出部３２が当たる事故の発生を防止できる。また、突出部３２の幅方向の平面形状を円弧状に形成することによって駆動ユニット部７の内部空間の容積が増大するので、駆動ユニット部７の歯車やモータをこの突出部３２に寄せて配置することによって、組み立てや外部からの検査の容易性に加えて、歯車へのグリス塗布作業の作業性を良好になる。
【００３３】
さらに、照明装置本体部３の部分Ｓを後方に円弧状に突出させた場合には、照明装置本体部３の内部空間の容積が増大するので、この部分にバウンスの駆動を入力するモード切替などの各種スイッチや各種の表示ランプなどを配置することができる。
【産業上の利用可能性】
【００３４】
本発明の照明装置は、バウンス撮影時のヘッド部の動きを、撮影装置の横位置撮影と縦位置撮影に追従して自動制御する、高機能照明装置の更なる高機能化に寄与する。
【符号の説明】
【００３５】
１    スイッチ
２    表示パネル
３    照明装置本体部
３ａ    前部
３ｂ    後部
４    キセノン放電管
５    反射傘
６    ヘッド部
７    駆動ユニット部
７ａ    駆動ユニット前部
７ｂ    駆動ユニット後部
８    電池室蓋
９    端子ユニット
１０    天板ユニット
１１    連通孔
１２    底板
１３    第１モータ
１４    第２モータ
１５    第１動力伝達機構
１６    第２動力伝達機構
１７    主コンデンサ
１８ａ    歯車
１８ｂ    ダミー円盤
１９ａ，１９ｂ    凹部
２０    軸受形成部
２１ａ，２１ｂ，２１ｃ，２１ｅ，２１ｆ    軸
２２ａ，２２ｂ，２２ｃ，２２ｅ    歯車
２２ｄ    内歯ギア
２２ｆ，２２ｇ    傘歯車
２３ａ，２３ｂ，２３ｃ    リブ
２４ａ，２４ｂ    ウォームギア
２５ａ，２５ｂ    カバー
２６    カメラ
２７    照明装置
２８    重心位置
２９    ヘッド部６の基端
３０    ヘッド部６の先端
３１    中心線
３２    突出部
Ｙ    中心軸
Ｘ    中心軸
Ｆ１    水平方向に左回動
Ｆ２    水平方向に右回動
【図１】
2019045805.tif 000003
【図２】
2019045805.tif 000004
【図３】
2019045805.tif 000005
【図４】
2019045805.tif 000006
【図５】
2019045805.tif 000007
【図６】
2019045805.tif 000008
【図７】
2019045805.tif 000009
【図８】
2019045805.tif 000010
【図９】
2019045805.tif 000011
【図１０】
2019045805.tif 000012
【図１１】
2019045805.tif 000013
【図１２】
2019045805.tif 000014
【図１３】
2019045805.tif 000015
【図１４】
2019045805.tif 000016
【図１５】
2019045805.tif 000017